(57)【要約】【課題】例えば、ライトバルブとして用いられる液晶装置の輝度ムラを低減する。【解決手段】液晶層５０は、液晶装置１の動作時に、各画素におけるＴＦＴ３０のオンオフに応じて液晶層５０に駆動電圧Ｖｂが印加され、青色光を変調する。液晶装置１は、青色光について視野角特性図の中央領域Ｒｃを含む広範囲の領域に照度のピーク、言い換えれば透過率のピークを有している。このように、透過率が高く、且つ、広範囲に渡って高い透過率を有するような電圧を液晶装置１の駆動電圧として設定する。そして、このような液晶装置１によれば、変調すべき青色光について、位相差板等の光学補償用の光学系を設けることなく、画像表示領域１０ａの輝度ムラが低減され、且つ液晶装置１の製造及び部品コストを低減可能である。【選択図】図５
2008076801.tif 000002
【特許請求の範囲】
【請求項１】
所定の波長を有する光を変調するための液晶装置において、当該液晶装置が備える液晶層に印加する駆動電圧を設定するための駆動電圧設定方法であって、
前記液晶層に印加する電圧を変動させながら、前記液晶装置の視野角特性を測定する第１ステップと、
前記測定された視野角特性に基づいて、前記所定の波長の光について高透過率を有する領域の、位置又は広さによって前記駆動電圧を設定する第２ステップと
を備えたことを特徴する駆動電圧設定方法。
【請求項２】
前記第２ステップでは、前記測定された視野角特性に基づいて、前記所定の波長の光について最も広範囲に透過率のピークを有するような電圧を前記駆動電圧として設定することを特徴する請求項１に記載の駆動電圧設定方法。
【請求項３】
前記第１ステップでは、変動させた電圧毎に、前記液晶装置に入射する光の角度に対応した透過率を測定し、
前記第２ステップでは、前記高透過率の領域内に前記液晶装置の中央領域を含むような電圧のうち、前記液晶装置の中央領域と重なる範囲が広い電圧を、前記駆動電圧として設定することを特徴する請求項１又は２に記載の駆動電圧設定方法。
【請求項４】
所定の波長を有する光を変調するための液晶装置であって、
互いに対向するように配置された一対の基板と、
前記一対の基板に挟持された液晶層とを備え、
前記液晶層に印加される電圧は、前記所定の波長の光について高透過率を有する領域の位置又は広さによって設定されていること
を特徴とする液晶装置。
【請求項５】
前記液晶層は、誘電率異方性が負の液晶分子を含んでいること
を特徴とする請求項４に記載の液晶装置。
【請求項６】
請求項４又は５に記載の液晶装置を具備してなること
を特徴とするプロジェクタ。
【発明の詳細な説明】
【技術分野】
【０００１】
本発明は、例えば、赤色光、緑色光及び青色光の夫々を変調する３枚の液晶ライトバルブに応用される液晶装置、及びそのような液晶装置を備えたプロジェクタ、並びに上述した３枚の液晶ライトバルブの夫々が備える液晶層を駆動する駆動電圧を設定するための駆動電圧設定方法の技術分野に関する。
【背景技術】
【０００２】
この種のプロジェクタの一例である液晶プロジェクタでは、例えば赤色光、緑色光、及び青色光の夫々を変調する３枚の液晶ライトバルブを備えており、各ライトバルブで変調された光を光学系で合成することによって、カラー画像がスクリーン等の投射面に投影される。このような液晶プロジェクタでは、３枚のライトバルブの夫々が互いに同種の液晶分子を含む液晶層を備えており、各液晶層が互いに同一の駆動モード（例えば、ＴＮ（Twist Nematic）モード、ＶＡ(Vertical Alignment)モード）によって駆動される。このような液晶プロジェクタが備える液晶装置は、例えば、アクティブマトリクス方式を用いて、各画素に設けられたスイッチング素子のオンオフに応じて液晶に印加される駆動電圧によって駆動される。このような駆動電圧は、液晶に印加する電圧及びチルト角の関係（より具体的には、例えば、Ｖ−Ｔ曲線）に基づいて、透過率が高くなるように設定されている。この種のプロジェクタでは、ライトバルブとして用いられる液晶装置の輝度ムラを低減するために、特許文献１及び２に開示されているような、位相差板を用いる技術が知られている。
【０００３】
【特許文献１】特開平６−５１３０５号公報
【特許文献２】特開２００１−４２３１４号公報
【発明の開示】
【発明が解決しようとする課題】
【０００４】
しかしながら、特許文献１及び２に開示された技術によれば、位相差板を設けることによってプロジェクタの製造及び部品に要するコストが増大してしまう問題点がある。加えて、同一の駆動電圧によって駆動される液晶層によって、互いに異なる波長を有する光を変調した場合、各ライトバルブにおいて光の波長毎に輝度ムラの発生状況は異なる。したがって、互いに異なる波長を有する光を変調するライトバルブ毎に位相差板の各種設定及び構成を変更することによって輝度ムラを低減することになり、プロジェクタの製造及び部品に要するコストは更に増大する。
【０００５】
よって、本発明は上記問題点等に鑑みてなされたものであり、例えば、ライトバルブに用いられる液晶装置の輝度ムラを低減可能な駆動電圧設定方法、製造及び部品に要するコストを低減できると共に輝度ムラが低減された液晶装置、並びにそのような液晶装置を具備することによって上述したコストを増大させることなく投影画像の品位を高めることが可能なプロジェクタを提供することを課題とする。
【課題を解決するための手段】
【０００６】
本発明に係る駆動電圧設定方法は上記課題を解決するために、所定の波長を有する光を変調するための液晶装置において、当該液晶装置が備える液晶層に印加する駆動電圧を設定するための駆動電圧設定方法であって、前記液晶層に印加する電圧を変動させながら、前記液晶装置の視野角特性を測定する第１ステップと、前記測定された視野角特性に基づいて、前記所定の波長の光について高透過率を有する領域の位置又は広さによって前記駆動電圧を設定する第２ステップとを備える。
【０００７】
本発明に係る駆動電圧設定方法によれば、「所定の波長を有する光」とは、例えば、カラー画像を表示可能な液晶プロジェクタにおいて、ライトバルブとして用いられる液晶装置によって変調される赤色光、緑色光或いは青色光等の各種色光を意味する。「液晶層に印加する駆動電圧」とは、液晶装置の動作時に、例えば画素電極及び当該画素電極に対向する対向電極の夫々の電位の差に応じて、これら電極間に介在する液晶層に印加される電圧である。
【０００８】
このような駆動電圧によって液晶層は駆動され、所定の波長の有する光を変調する。第１ステップでは、液晶層に印加する電圧を変動させながら、液晶装置の視野角特性を測定する。ここで、「視野角特性」とは、所定の駆動電圧を液晶層に印加した場合において、液晶装置に入射する光の角度分布に対応する液晶装置の透過率から導出される特性である。尚、本明細書では、このような特性を平面図として図示し、液晶装置の透過率、即ち輝度をマッピングした図を視野角特性図と称していることに留意されたい。
【０００９】
また、「視野角」は、液晶装置の表示領域に平行な面の面内方向である方位角と、当該平面の法線に対して傾いた視角とによって規定される観測方向を意味する。視野角特性図は、例えば方位角及び視角によって規定された平面における照度の分布を示している。このような視野角特性図は、実験的に、液晶装置の液晶層に印加する電圧を変動させながら、液晶装置の表示領域における照度を実際に測定して得られたデータをマッピングした図であってもよいし、液晶層に印加される電圧に応じた照度をシミュレーションすることによって算出された照度のデータをマッピングした図であってもよい。なお、本明細書では、白表示をさせた場合の、表示領域における輝度で表示している。
【００１０】
第２ステップでは、測定された視野角特性に基づいて、所定の波長の光について最も広範囲に高透過率の領域を有する電圧を駆動電圧として設定する。つまり、透過率が高いだけでなく、広範囲に渡ってその高い透過率を維持する電圧を駆動電圧として設定する。また、液晶装置の中央領域が、高透過率の領域に含まれるような電圧を駆動電圧として設定する。より具体的には、例えば、視野角特性図において、所定の波長の光（例えば、赤色光、青色光、或いは緑色光等の色光）について、他の領域より透過率が高い領域、特に、視野角特性図内における方位角及び視角で規定される平面内において、透過率のピークを含む高透過率の領域が各電圧のなかで最も広くなる電圧を、所定の波長を有する光を変調する液晶層を駆動するための駆動電圧として設定する。
【００１１】
ここで、「透過率が高い領域が広くなる」とは、他の電圧を液晶層に印加した場合に比べて、当該任意の電圧を印加した場合のほうが、高透過率となる領域が広いことを意味する。より具体的には、液晶層に印加する電圧の夫々に応じた液晶装置の透過率を互いに異なる電圧で比較した場合に、例えば液晶層に４Ｖを印加する場合に比べて、液晶層に５Ｖを印加するほうが、透過率の最大値（ピーク）は大きくなるとする。この場合に、透過率で比較すると最高透過率は５Ｖよりも４Ｖの方が低くとも、液晶層に４Vを印加する方がより広い範囲で高透過率の領域を有するならば、４Vを駆動電圧とした方がプロジェクタとして使用する場合には、輝度ムラを低減する効果をより発揮できる。言い換えれば、本発明に係る駆動電圧設定方法では、視野角特性図において透過率の高い領域が広くなるように、即ち、表示領域の照度における視野角依存性が最も小さくなる電圧を駆動電圧として設定する。
【００１２】
したがって、本発明に係る駆動電圧設定方法によって駆動電圧が設定された液晶装置では、表示領域における輝度ムラが、位相差板を設けなくても低減される。このような駆動電圧は、液晶層が変調する光の波長に応じて異なるため、例えば同じ構成を有する液晶装置によって赤色光、緑色光及び青色光の夫々を変調する場合、各色光を変調する液晶装置毎に設定される。
【００１３】
よって、本発明に係る駆動電圧設定方法によれば、所定の波長を有する光の波長毎に、視野角に応じて異なる輝度ムラを低減できる駆動電圧を設定可能であり、液晶装置の表示性能を高めることが可能である。
【００１４】
本発明に係る液晶装置は上記課題を解決するために、所定の波長を有する光を変調するための液晶装置であって、互いに対向するように配置された一対の基板と、前記一対の基板に挟持された液晶層とを備え、前記液晶層に印加される電圧は、前記所定の波長の光について高透過率を有する領域の位置又は広さによって設定されている。
【００１５】
本発明に係る液晶装置によれば、位相差板等の光学補償用の光学系を設けることなく、上述した駆動電圧設定方法と同様に液晶装置の表示領域における輝度ムラを低減できる。したがって、本発明に係る液晶装置によれば、液晶装置の製造及び部品コストの低減と、表示性能の向上とが可能になる。
【００１６】
本発明に係る液晶装置の一の態様では、前記液晶層は、誘電率異方性が負の液晶分子を含んでいてもよい。
【００１７】
この態様によれば、他の駆動モードに比べて高いコントラストで画像を表示可能である。
【００１８】
本発明に係るプロジェクタは上記課題を解決するために、上述した本発明の液晶装置を具備してなる。
【００１９】
本発明に係るーによれば、上述した本発明に係る液晶装置を具備してなるので、例えば液晶装置の輝度ムラを低減する光学補償用の光学系を設けることによって増大する製造コスト及び部品コストを低減でき、且つ高品位で画像を投影可能な液晶プロジェクタ等のプロジェクタを実現できる。
【００２０】
本発明のこのような作用及び他の利得は次に説明する実施形態から明らかにされる。
【発明を実施するための最良の形態】
【００２１】
以下、図面を参照しながら、本発明に係る駆動電圧設定方法、液晶装置及びプロジェクタの各実施形態を説明する。
【００２２】
＜１：液晶装置＞
先ず、図１及び図６を参照しながら、本実施形態に係る液晶装置の構成を説明する。図１は、液晶装置を対向基板側から見た平面図である。図２は、図１のＨ−Ｈ´断面図である。図３は、液晶装置の画像表示領域を構成するマトリクス状に形成された複数の画素における各種素子、配線等の等価回路である。図４は、明視方向が矢印で示された液晶装置の図式的平面図である。ここでは、液晶装置の一例である駆動回路内蔵型のＴＦＴアクティブマトリクス駆動方式の液晶装置を例に挙げ、負の誘電率異方性を有する液晶分子を用いている。したがって、本実施形態に係る液晶装置１は、液晶分子が垂直配向（ＶＡ）モードで駆動される液晶装置である。図５は、液晶装置１の視野角特性を示した視野角特性図である。図６は、方位角及び視角によって規定される観測方向（視野角）を示した図式的斜視図である。
【００２３】
図１及び図２において、液晶装置１では、ＴＦＴアレイ基板１０と、対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００２４】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（基板間ギャップ）を所定値とするためのグラスファイバ或いはガラスビーズ等のギャップ材５６が散布されている。したがって、液晶装置１は、ギャップが均一であり、プロジェクタのライトバルブ用として小型で拡大表示を行うのに適している。
【００２５】
シール材５２が配置されたシール領域の内側に並行して、画像表示領域１０ａの額縁領域を規定する遮光性の額縁遮光膜５３が、対向基板２０側に設けられている。画像表示領域１０ａの周辺に位置する周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺のいずれかに沿い、且つ、額縁遮光膜５３に覆われるようにして設けられている。尚、走査線駆動回路１０４を、データ線駆動回路１０１及び外部回路接続端子１０２が設けられたＴＦＴアレイ基板１０の一辺に隣接する２辺に沿って設けるようにしてもよい。この場合、ＴＦＴアレイ基板１０の残る一辺に沿って設けられた複数の配線によって、二つの走査線駆動回路１０４は互いに接続されるようにする。
【００２６】
対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００２７】
尚、図４に示すように、液晶装置１の明視方向は、１：３０方向である。液晶層５０に含まれる液晶分子は、液晶装置１の動作時に、当該液晶層５０に印加される駆動電圧に応じて明視方向に向かって傾く。
【００２８】
図２において、ＴＦＴアレイ基板１０上には、画素スイッチング用のＴＦＴ（Thin Film Transistor；以下適宜、“ＴＦＴ”と称する）や走査線、データ線等の配線が形成された後の画素電極９ａ上に、配向膜１６が形成されている。他方、液晶装置１において、対向基板２０に形成された不図示の対向電極は、画素電極９ａと対向するように配置されており、この対向電極上に配向膜２２が形成されている。ＴＦＴアレイ基板１０及び対向基板２０には、例えば、石英やプラスチック等の透明基板が用いられる。
【００２９】
ＴＦＴアレイ基板１０又は対向基板２０上において、配向膜１６又は２２は、例えばポリイミド等の有機材料により形成される。本実施形態では、ＴＦＴアレイ基板１０及び対向基板２０のいずれか一方上にのみ配向膜を形成するか、或いはこれらのいずれか一方上に形成される配向膜を無機材料により形成するようにしてもよい。
【００３０】
液晶層５０は、負の誘電率異方性を有する液晶分子を含んでおり、ＶＡモードで駆動される。液晶装置１は、その使用時に、液晶層５０の両側で偏光軸が互いに直交するように偏光板が配置され、ノーマリーブラックモード（黒表示）で画像を表示する。
【００３１】
次に、図３を参照しながら、液晶装置１の画像表示領域１０ａにおける回路構成を説明する。
【００３２】
図３において、液晶装置１の画像表示領域１０ａを構成するマトリクス状に形成された複数の画素には、それぞれ、画素電極９ａと当該画素電極９ａをスイッチング制御するためのＴＦＴ３０とが形成されており、画像信号が供給されるデータ線６ａが当該ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００３３】
ＴＦＴ３０のゲートはゲート電極３ａに電気的に接続されており、所定のタイミングで、走査線１１ａ及びゲート電極３ａにパルス的に走査信号Ｇ１、Ｇ２、・・・、Ｇｍを、この順に線順次で印加するように液晶装置１は構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎを所定のタイミングで書き込む。
【００３４】
画素電極９ａを介して液晶に書き込まれた所定レベルの画像信号Ｓ１、Ｓ２、・・・、Ｓｎは、画素電極９ａと、対向基板２０に形成された対向電極との間で一定期間保持される。これにより、画素電極９ａ及び対向電極２１の夫々の電位の差に応じて各画素において、液晶に駆動電圧が印加される。液晶は、印加される電圧レベルにより分子集合の配向や秩序が変化することにより、光を変調し、階調表示を可能とする。本実施形態では、液晶装置１の表示方式がノーマリーブラックモードであるため、各画素の単位で液晶に印加された駆動電圧に応じて、光源側から画素に入射する入射光に対する透過率が増加され、全体として液晶装置１からは画像信号に応じたコントラストをもつ光が出射する。
【００３５】
また、保持された画像信号がリークするのを防ぐために、液晶装置１では、画素電極９ａと対向電極２１との間に形成される液晶容量と並列に蓄積容量７０が付加されている。蓄積容量７０は、走査線１１ａに並んで設けられ、固定電位側容量電極を含むとともに定電位に固定された容量電極３００を含んでいる。このような回路構成により液晶装置１は画像を表示する。
【００３６】
次に、図５を参照しながら、液晶装置１の視野角特性を説明する。図５では、画像表示領域１０ａにおける等しい照度を同種の線で結んでおり、本発明の「変調されるべき光」の一例として青色光を挙げる。
【００３７】
図５に示すように、液晶層５０は、液晶装置１の動作時に、各画素におけるＴＦＴ３０のオンオフに応じて液晶層５０に駆動電圧Ｖｂが印加され、青色光を変調する。液晶装置１は、青色光について視野角特性図の中央領域Ｒｃ内に照度のピーク、言い換えれば透過率のピークを有しており、照度のピークを含む図中斜線でハッチングした領域は、駆動電圧Ｖｂにおける高透過率領域Ｒｂである。後述するように、中央領域Ｒｃ（具体的には中心を含み、視角が±１２°程度の領域）と重なる広範囲な領域が高透過率の領域となる場合に、位相差板が不要となる。なお、その状況は、視野角特性図にて確認可能である。
【００３８】
このような高透過率領域Ｒｂは、駆動電圧Ｖｂと異なる電圧によって液晶層５０を駆動した場合に測定された視野角特性における高透過率領域より広い。したがって、液晶装置１によれば、変調すべき青色光について透過率の視野角依存性が低減され、位相差板等の光学補償用の光学系を設けることなく、画像表示領域１０ａの輝度ムラを低減することができる。したがって、液晶装置１によれば、液晶装置１の製造及び部品コストを低減できると共に、高品位の画像を表示可能である。加えて、液晶装置５０が、垂直配向（ＶＡ）モードで駆動される液晶分子を含んでいるため、液晶装置１は、他の駆動モードに比べて高いコントラストで画像を表示可能である。
【００３９】
尚、本発明に係る液晶装置は、ＶＡモードで駆動される液晶装置に限定されるものではなく、ＴＮモード等の他の駆動モードで駆動される液晶装置であってもよい。ＴＮモードの駆動モードで駆動される液晶装置の場合は、液晶層が誘電率異方性が正の液晶分子を含むことになる。
【００４０】
また、本実施形態では、「視野角」とは、図６に示すように、画像表示領域１０ａにおける方位角φ及び視角ψによって規定される方位を意味する。方位角φは、画像表示領域１０ａの中心点Ｃ０及び観測者を結ぶ線を画像表示領域１０ａの平行な面Ｓに投影した投影線が面Ｓ内の基準線（図中、面Ｓ内に示した一点鎖線）となす角である。視角ψは、画像表示領域１０ａの中心点Ｃ０及び観測者を結ぶ線が面Ｓの法線Ｌｎとなす角である。
【００４１】
図１及び図２に示したＴＦＴアレイ基板１０上には、これらのデータ線駆動回路１０１、走査線駆動回路１０４等に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該液晶装置の品質、欠陥等を検査するための検査回路等が形成されていてもよい。
【００４２】
＜２：駆動電圧設定方法＞
次に、図７乃至図１１を参照しながら、上述した液晶層５０を駆動する駆動電圧Ｖｂを設定するための駆動電圧設定方法を説明する。図７は、本実施形態に係る駆動電圧設定方法のフローチャートである。本実施形態では、先ず、本発明に係る「所定の波長を有する光」の一例として青色光を挙げる。図８は、液晶装置１が青色光を変調した場合に取得される視野角特性をシミュレーションして得られた視野角特性図であって、液晶層５０に印加される電圧（０、１、２、３、４，５Ｖ）毎に得られた視野角特性図の一覧である。図８における各電圧に対応する視野角特性図では、画像表示領域１０ａにおける等しい照度を同種の線で結んで示している。したがって、互いに異なる電圧に対応した視野角特性図の夫々において、同種の線で示された照度の実測値、若しくはシミュレーションによって得られた具体的な照度の値は、各電圧で互いに異なる。
【００４３】
尚、図８において、各電圧に対応した視野角特性図の中心点Ｃでは視角ψが０°である。したがって、図８において、中心点Ｃにおける照度は、画像表示領域１０ａを真上から見た際の照度を意味する。図９は、図８に示した明視方向から観察した場合における、液晶層５０に印加される電圧毎に視角に対する照度を示したグラフである。
【００４４】
図７において、液晶装置１の視野角特性を取得する（ステップＳ１０）。より具体的には、液晶層５０に印加する電圧（０、１、２、３、４、５Ｖ）毎に液晶装置１の視野角特性をシミュレーションすることによって、各電圧に対応した視野角特性図（図８参照）を算出する。
【００４５】
図８に示すように、液晶層５０に印加する電圧を増大させることによって、照度が高い領域、言い換えれば、画像表示領域１０ａにおける透過率が高い高透過率領域Ｒｂは、中心点Ｃを基準として、図中左下側から右上側に徐々にシフトし、且つその面積も増大する傾向にある。そして、図８において、中心点Ｃを含む中央領域Ｒｃと、高透過率領域Ｒｂとが重なるのは、液晶層５０に３乃至４Ｖの電圧を印加した場合である。加えて、高透過率領域Ｒｂも、他の電圧に比べて広くなる。但し、液晶層５０に印加する電圧が５Ｖの場合の方が、電圧が３乃至４Ｖの場合に比べて高透過率領域Ｒｂは増大する。しかし、電圧が５Ｖの場合、高透過率領域が中心点Ｃとは重ならず中心領域Ｒｃとの重なりも小さくなる。つまり、電圧が３乃至４Ｖの場合に比べて視野角依存性が低減されていることにはならない。よって、駆動電圧としては、３乃至４Ｖが設定されることが好ましい。
【００４６】
尚、図８においては、各電圧（０、１、２、３、４、５Ｖ）における高透過率領域Ｒｂの透過率（照度）は各電圧で異なるため、各電圧（０、１、２、３、４、５Ｖ）の図の中で輝度を相対比較している。
【００４７】
再び、図７において、図８に示した視野角特性図に基づいて、青色光について最も広範囲に透過率のピークを有する電圧を駆動電圧Ｖｂとして設定する（ステップＳ２０）。より具体的には、駆動電圧Ｖｂを３乃至４Ｖの範囲の電圧に設定する。このような駆動電圧Ｖｂによれば、視野角特性図において高透過率領域Ｒｂが中央領域Ｒｃに重なる面積が他の電圧に比べて相対的に大きく、且つ高透過率領域Ｒｂの面積も大きくなる。したがって、視野角特性図において、中央領域Ｒｃが同じ照度で覆われて範囲が広いほど液晶装置の視野角特性に応じた輝度ムラが低減されることになり、位相差板等の光学補償手段を設けなくても、視野角毎に観測される画像表示領域１０ａの輝度ムラが低減される。
【００４８】
このように、本実施形態に係る駆動電圧設定方法によれば、従来の、液晶のＶ−Ｔ曲線に基づいて駆動電圧を設定する場合に比べて、液晶装置の輝度ムラを低減できる駆動電圧Ｖｂを設定可能である。
【００４９】
尚、図９に示すように、電圧が３乃至４Ｖの範囲において、電圧が３Ｖのほうが、高照度の領域が中心点Ｃにより近い位置となることから、画像表示領域１０ａの輝度ムラを抑制するためには、駆動電圧Ｖｂを約３Ｖに設定するほうがより好ましい。このような駆動電圧Ｖｂによれば、液晶装置１の輝度ムラを低減でき、液晶装置１によって表示される画像の表示品位を高めることが可能である。
【００５０】
尚、本実施形態では、シミュレーションによって液晶装置１の視野角特性を取得したが、画像表示領域１０ａの照度を実際に測定して得られた視野角特性を示した視野角特性図を参照して、駆動電圧Ｖｂを設定することも可能である。また、中央領域Ｒｃとして、視角ψが±１２°程度の範囲で規定された範囲を規定することによって、実践的に液晶装置の輝度を効果的に低減できる。
【００５１】
次に、図１０及び図１１を参照しながら、液晶装置１によって変調される光が赤色光又は緑色光である場合を説明する。図１０は、赤色光について取得された液晶装置１の視野角特性図であり、図１１は、緑色光について取得された液晶装置１の視野角特性図である。尚、図１０及び図１１の夫々は、図８と同様に、液晶層５０に印加される互いに異なる電圧（０、１、２、３、４、５Ｖ）毎にシミュレーションされた視野角特性を示す視野角特性図の一覧である。
【００５２】
図１０において、変調された赤色光について、照度が高い領域、即ち高透過率領域Ｒｒは、青色光同様に、液晶層５０に印加される電圧を増大させるにつれて、図中左下側から図中右上側にシフトする傾向にある。しかしながら、図１０に示すように、青色光と異なり、赤色光については、液晶装置１を駆動する駆動電圧を５Ｖ以上に設定しないと、中心領域Ｒｃに高照度の領域、即ち高透過率の領域が重ならない。したがって、図１０に示した視野角特性図によれば、上述した駆動電圧設定方法と同様の手順で画像表示領域１０ａの高照度の領域が中心点Ｃにより近くなる電圧（本実施形態では５Ｖの電圧）を駆動電圧として設定することによって、変調された赤色光について画像表示領域１０ａの輝度ムラを低減できる。加えて、このような駆動電圧によって駆動される液晶装置１によって赤色光を変調することによって、青色光と同様に輝度ムラを低減できると共に、液晶装置１の製造及び部品コストを低減できる。
【００５３】
図１１において、変調された緑色光について、高透過率領域Ｒｇは、青色光及び赤色光と同様に、液晶層５０に印加される電圧を増大させるにつれて、図中左下側から図中右上側にシフトする傾向にある。しかしながら、図１１に示すように、緑色光についての視野角特性は、赤色光の視野角特性から若干ずれる傾向にある。したがって、緑色光についても、上述した駆動電圧設定方法と同様の手順で、図１１に示した視野角特性図を参照し、画像表示領域１０ａの高透過率の領域、即ち高照度の領域が中心点Ｃにより近くなる電圧を駆動電圧として設定することによって、変調された緑色光について画像表示領域１０ａの輝度ムラを低減できると共に、液晶装置１の製造及び部品コストを低減できる。
【００５４】
ところで、緑色光に対応する液晶装置１について、液晶層５０に印加される電圧を４Vにした場合と５Vにした場合とで比較すると、最大透過率は、電圧を４Vにした場合の方が５Vにした場合よりも大きくなる。しかし、視野角特性でみると、中央領域を高透過率領域によって覆うことができるので、電圧を５Vにした場合の方が４Vにした場合よりも好ましい。この場合、緑色光に対応する液晶装置１の駆動電圧としては、４Vが設定される。
【００５５】
＜３：プロジェクタ＞
次に、図１２を参照しながら、上述した液晶装置をプロジェクタに適用した場合を説明する。上述した液晶装置は、プロジェクタのライトバルブとして用いられている。図１２は、プロジェクタの構成例を示す平面図である。図１２に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００５６】
液晶パネル１１１０Ｒ、１１１０Ｂおよび１１１０Ｇの構成は、上述した液晶装置と同等の構成を有しており、画像信号処理回路から供給されるＲ、Ｇ、Ｂの原色信号でそれぞれ駆動されるものである。液晶パネル１１１０Ｒ、１１１０Ｂおよび１１１０Ｇは、位相差板等の光学補償手段を設けることなく、各光の波長に応じて生じる輝度ムラが低減されている。これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等に高品位のカラー画像が投写される。
【００５７】
尚、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転される。
【００５８】
また、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００５９】
プロジェクタ１１００によれば、上述した液晶装置１と同様に位相差板等の光学補償手段を設けなくてもよいため、液晶装置の輝度ムラを低減する光学補償用の光学系を設けることによって増大する製造コスト及び部品コストを低減できると共に、高品位の画像を表示できる。
【００６０】
尚、本発明は、上述した実施形態に限られるものではなく、請求の範囲及び明細書全体から読み取れる発明の要旨或いは思想に反しない範囲で適宜変更可能であり、そのような変更を伴う駆動電圧設定方法、及び液晶装置、並びにプロジェクタもまた本発明の技術的範囲に含まれるものである。
【図面の簡単な説明】
【００６１】
【図１】本実施形態に係る液晶装置を対向基板側から見た平面図である。
【図２】図１のＨ−Ｈ´断面図である。
【図３】本実施形態に係る液晶装置の画像表示領域を構成する複数の画素における各種素子、配線等の等価回路である。
【図４】明視方向が矢印で示された液晶装置の図式的平面図である。
【図５】本実施形態に係る液晶装置の視野角特性を示した視野角特性図である。
【図６】方位角及び視角の関係を示した図式的斜視図である。
【図７】本実施形態に係る駆動電圧設定方法のフローチャートである。
【図８】本実施形態に係る液晶装置が青色光を変調した場合に取得される視野角特性をシミュレーションして得られた視野角特性図である。
【図９】図８に示した明視方向に沿って、液晶層に印加される電圧毎に視角に対する照度を示したグラフである。
【図１０】本実施形態に係る液晶装置が赤色光を変調した場合に取得される視野角特性をシミュレーションして得られた視野角特性図である。
【図１１】本実施形態に係る液晶装置が緑色光を変調した場合に取得される視野角特性をシミュレーションして得られた視野角特性図である。
【図１２】本実施形態に係るプロジェクタの図式的断面図である。
【符号の説明】
【００６２】
１・・・液晶装置、１０・・・ＴＦＴアレイ基板、２０・・・対向基板、Ｒｃ・・・中央領域
【図１】
2008076801.tif 000003
【図２】
2008076801.tif 000004
【図３】
2008076801.tif 000005
【図４】
2008076801.tif 000006
【図５】
2008076801.tif 000007
【図６】
2008076801.tif 000008
【図７】
2008076801.tif 000009
【図８】
2008076801.tif 000010
【図９】
2008076801.tif 000011
【図１０】
2008076801.tif 000012
【図１１】
2008076801.tif 000013
【図１２】
2008076801.tif 000014